(57)【要約】【課題】ＹテーブルやＸテーブルの制動操作、ビデオカメラユニットのズーミングボタン等のボタン操作が容易で、かつ半制動状態に調整可能な拡大読書器を提供する。【解決手段】Ｙテーブル用ブレーキレバー８１を設けて、Ｙテーブル用ブレーキ摘み１００をＹテーブル３０の正面側の一方の角隅部に配置すると、当該摘みをＹテーブルの背面側角隅部に配した場合に比べ制動操作が容易になる。Ｙテーブル用のブレーキパッド８２とブレーキシャフト８０との間にブレーキレバー８１を介在させて、軽く力を加えただけではＹテーブルは動かないが、ある程度の力を加えれば制動力に抗してＹテーブルが微動する半制動状態に設定可能にする。また、Ｘテーブル用ブレーキ摘み１０２をＸテーブル５０の正面側の一方の角隅部に配置し、Ｘテーブル用ブレーキ摘みとＹテーブル用ブレーキ摘みを近接配置する。Ｙテーブルの正面に操作パネル３１を配置して、撮像操作を容易にする。【選択図】図６
2012105111.tif 000002
【特許請求の範囲】
【請求項１】
ベースフレームにＹ方向へ移動可能に設置したＹテーブルと、ＹテーブルにＹ方向と直交するＸ方向へ移動可能に設置したＸテーブルと、Ｘテーブルに載置した資料をＸテーブルの上方から撮像するビデオカメラユニットと、ビデオカメラユニットで撮像した資料の画像を拡大表示するモニターディスプレイを備え、
左右一対の第１Ｙレールをベースフレームに固定し、左右一対の第２ＹレールをＹテーブルの裏面に組み付け、第１Ｙレールに第２Ｙレールを摺動可能に連結することによりＹテーブルをベースフレームにＹ方向へ移動可能に組み付け、
左右一対の第１ＸレールをＹテーブルの表面に固定し、左右一対の第２ＸレールをＸテーブルの裏面に組み付け、第１Ｘレールに第２Ｘレールを摺動可能に連結することによりＸテーブルをＹテーブルにＸ方向へ移動可能に組み付けた拡大読書器であって、
一端にＹテーブル用ブレーキ摘みを有するＹテーブル用ブレーキシャフトをＹテーブルに回転可能に組み付けるとともに、Ｙテーブル用ブレーキ摘みをＹテーブルの正面側の一方の角隅部に配置し、
Ｙテーブルに立設したＹ軸を支点にしてＹテーブルと略平行な面内で回動可能にＹテーブル用ブレーキレバーをＹテーブルに組み付け、
Ｙテーブル用ブレーキレバーの一端にＹテーブル用ブレーキパッドを取付け、
Ｙテーブル用ブレーキレバーの他端をＹテーブル用ブレーキシャフトに連結し、
Ｙテーブル用ブレーキ摘みの回転操作によりＹテーブル用ブレーキレバーを回動させ、これによりＹテーブル用ブレーキパッドをベースフレーム若しくはベースフレームに固定された第１Ｙレールに圧接してＹテーブルのＹ方向への移動を制動するようにしたことを特徴とする拡大読書器。
【請求項２】
一端にＸテーブル用ブレーキ摘みを有するＸテーブル用ブレーキシャフトをＸテーブルに回転可能に組み付けるとともに、Ｘテーブル用ブレーキ摘みをＸテーブルの正面側の一方の角隅部に配置し、
Ｘテーブルに立設したＸ軸を支点にしてＸテーブルと略平行な面内で回動可能にＸテーブル用ブレーキレバーをＸテーブルに組み付け、
Ｘテーブル用ブレーキレバーの一端にＸテーブル用ブレーキパッドを取付け、
Ｘテーブル用ブレーキレバーの他端をＸテーブル用ブレーキシャフトに連結し、
Ｘテーブル用ブレーキ摘みの回転操作によりＸテーブル用ブレーキレバーを回動させ、これによりＸテーブル用ブレーキパッドをＹテーブル若しくはＹテーブルに固定した第１Ｘレールに圧接してＸテーブルのＸ方向への移動を制動するようにしたことを特徴とする請求項１に記載の拡大読書器。
【請求項３】
Ｙ軸とＹテーブル用ブレーキパッドとの間隔をＹ軸とＹテーブル用ブレーキシャフトとの間隔より短く設定したことを特徴とする請求項１に記載の拡大読書器。
【請求項４】
Ｘ軸とＸテーブル用ブレーキパッドとの間隔をＸ軸とＸテーブル用ブレーキシャフトとの間隔より短く設定したことを特徴とする請求項２に記載の拡大読書器。
【請求項５】
前記Ｙテーブルの正面に撮像用操作ボタンを配置した操作パネルを設けたことを特徴とする請求項２に記載の拡大読書器。
【発明の詳細な説明】
【技術分野】
【０００１】
本発明は低視力者のために書籍や新聞等を拡大表示する拡大読書器に関する。
【背景技術】
【０００２】
拡大読書器の一形式として、特開平１１−１４９２５８号公報には、ベースフレームにＹ方向（前後方向）へ移動可能に設置したＹテーブルと、ＹテーブルにＹ方向と直交するＸ方向（左右方向）へ移動可能に設置したＸテーブルと、Ｘテーブルに載置した資料をＸテーブルの上方から撮像するビデオカメラユニットと、ビデオカメラユニットで撮像した資料の拡大画像を表示するモニターディスプレイを備えた拡大読書器が開示されている。
【０００３】
この拡大読書器では、左右一対の第１Ｙレールをベースフレームに固定し、左右一対の第２ＹレールをＹテーブルの裏面に組み付け、第１Ｙレールに第２Ｙレールを摺動可能に連結することによりＹテーブルをベースフレームにＹ方向へ移動可能に組み付けている。
【０００４】
そして、ＹテーブルのＹ方向への移動を制動するためＹテーブル用ブレーキ手段を設けている。このＹテーブル用ブレーキ手段は、一端にＹテーブル用ブレーキ摘みを有し、他端にＹテーブル用ブレーキパッドを有するＹテーブル用スクリューシャフトをＹテーブルに回転可能かつ進退可能に組み付けている。このＹテーブル用制動手段によれば、Ｙテーブル用ブレーキ摘みの回転操作によりＹテーブル用ブレーキパッドを第１Ｙレールに圧接してＹテーブルを制動している。
【０００５】
また、左右一対の第１ＸレールをＹテーブルの表面に固定し、左右一対の第２ＸレールをＸテーブルの裏面に組み付け、第１Ｘレールに第２Ｘレールを摺動可能に連結することによりＸテーブルをＹテーブルにＸ方向へ移動可能に組み付けている。
【０００６】
そして、ＸテーブルのＸ方向への移動を制動するためＸテーブル用ブレーキ手段を設けている。このＸテーブル用ブレーキ手段は、一端にＸテーブル用ブレーキ摘みを有し、他端にＸテーブル用ブレーキパッドを有するＸテーブル用スクリューシャフトをＸテーブルに回転可能、かつ進退可能に組み付けている。このＸテーブル用制動手段によれば、Ｘテーブル用ブレーキ摘みの回転操作によりＸテーブル用ブレーキパッドを第１Ｘレールに圧接してＸテーブルを制動している。
【先行技術文献】
【特許文献】
【０００７】
【特許文献１】特開平１１−１４９２５８号公報
【発明の概要】
【発明が解決しようとする課題】
【０００８】
上述したように従来の拡大読書器では、Ｙテーブル用ブレーキパッドをＹテーブルに固定されている第１Ｙレールに圧接してＹテーブルを制動するので、Ｙテーブルの前進ストローク端でもＹテーブル用パッドが第１Ｙレールに圧接できるように、Ｙテーブル用ブレーキ摘みをＹテーブルの背面側の角隅部に配置している。
【０００９】
また、Ｘテーブル用ブレーキパッドをＸテーブルに固定されている第１Ｘレールに圧接してＸテーブルを制動しているが、Ｘテーブルの後退ストローク端でＸテーブル用パッドが第１Ｘレールの中央部に圧接して制動力が均等に作用するように、Ｘテーブル用ブレーキ摘みをＸテーブルの正面中央部に位置している。
【００１０】
従来の拡大読書器は、Ｙテーブル用ブレーキ手段のＹテーブル用ブレーキ摘みがＹテーブルの背面角隅部に配置され、Ｘテーブル用ブレーキ手段のＸテーブル用ブレーキ摘みがＸテーブルの正面中央部に位置されているため、Ｙテーブル用ブレーキ摘みとＸテーブル用ブレーキ摘みが離れている。Ｘテーブルに載置した書籍等を拡大表示して読書するにはＸテーブルとＹテーブルの両方のテーブルを制動停止する必要があり、Ｘテーブル用ブレーキ摘みとＹテーブル用ブレーキ摘みの両方を操作しなければならないが、両方のブレーキ摘みが離れているため、操作し辛い。
【００１１】
また、スクリューシャフトに直接ブレーキパッドが固定されているため、ブレーキ摘みを回転操作したとき制動力を加減し難い。そのため、制動力が強く作用してテーブルが動かない制動状態と、制動力が全く作用しないで自由にテーブルが動く非制動状態との中間の状態、すなわち、軽く力を加えただけではテーブルは動かないが、ある程度の力を加えれば制動力に抗してテーブルが微動する半制動状態にすることは困難である。
【００１２】
また、Ｘテーブルの正面中央部にＸテーブル用ブレーキ摘みを配置しているので、Ｙテーブルの正面にビデオカメラユニットのズーミングボタンやフォーカスボタン等の各種撮像用操作ボタンを配列した操作パネルを設けた場合、Ｘテーブル用ブレーキ摘みが撮像操作の邪魔になる。そのため、撮像操作がし易いようにＹテーブルの正面に操作パネルを設置できないので、操作性が悪い。
【００１３】
本発明は上記した問題点に鑑み、ＹテーブルやＸテーブルの制動操作、ビデオカメラユニットのズーミングボタンの操作等の各種撮像操作が容易で、かつ半制動状態に調整可能な拡大読書器を提供することを目的とする。
【課題を解決するための手段】
【００１４】
上記目的を達成するため請求項１に記載の発明は、ベースフレームにＹ方向へ移動可能に設置したＹテーブルと、ＹテーブルにＹ方向と直交するＸ方向へ移動可能に設置したＸテーブルと、Ｘテーブルに載置した資料をＸテーブルの上方から撮像するビデオカメラユニットと、ビデオカメラユニットで撮像した資料の画像を拡大表示するモニターディスプレイを備え、
左右一対の第１Ｙレールをベースフレームに固定し、左右一対の第２ＹレールをＹテーブルの裏面に組み付け、第１Ｙレールに第２Ｙレールを摺動可能に連結することによりＹテーブルをベースフレームにＹ方向へ移動可能に組み付け、
左右一対の第１ＸレールをＹテーブルの表面に固定し、左右一対の第２ＸレールをＸテーブルの裏面に組み付け、第１Ｘレールに第２Ｘレールを摺動可能に連結することによりＸテーブルをＹテーブルにＸ方向へ移動可能に組み付けた拡大読書器であって、
一端にＹテーブル用ブレーキ摘みを有するＹテーブル用ブレーキシャフトをＹテーブルに回転可能に組み付けるとともに、Ｙテーブル用ブレーキ摘みをＹテーブルの正面側の一方の角隅部に配置し、
Ｙテーブルに立設したＹ軸を支点にしてＹテーブルと略平行な面内で回動可能にＹテーブル用ブレーキレバーをＹテーブルに組み付け、
Ｙテーブル用ブレーキレバーの一端にＹテーブル用ブレーキパッドを取付け、
Ｙテーブル用ブレーキレバーの他端をＹテーブル用ブレーキシャフトに連結し、
Ｙテーブル用ブレーキ摘みの回転操作によりＹテーブル用ブレーキレバーを回動させ、これによりＹテーブル用ブレーキパッドをベースフレーム若しくはベースフレームに固定された第１Ｙレールに圧接してＹテーブルのＹ方向への移動を制動するようにしたことを特徴とする。
【００１５】
請求項２に記載の発明は請求項１に記載の拡大読書器において、
一端にＸテーブル用ブレーキ摘みを有するＸテーブル用ブレーキシャフトをＸテーブルに回転可能に組み付けるとともに、Ｘテーブル用ブレーキ摘みをＸテーブルの正面側の一方の角隅部に配置し、
Ｘテーブルに立設したＸ軸を支点にしてＸテーブルと略平行な面内で回動可能にＸテーブル用ブレーキレバーをＸテーブルに組み付け、
Ｘテーブル用ブレーキレバーの一端にＸテーブル用ブレーキパッドを取付け、
Ｘテーブル用ブレーキレバーの他端をＸテーブル用ブレーキシャフトに連結し、
Ｘテーブル用ブレーキ摘みの回転操作によりＸテーブル用ブレーキレバーを回動させ、これによりＸテーブル用ブレーキパッドをＹテーブル若しくはＹテーブルに固定した第１Ｘレールに圧接してＸテーブルのＸ方向への移動を制動するようにしたことを特徴とする。
【００１６】
請求項３に記載の発明は請求項１に記載の拡大読書器において、Ｙ軸とＹテーブル用ブレーキパッドとの間隔をＹ軸とＹテーブル用ブレーキシャフトとの間隔より短く設定したことを特徴とする。
【００１７】
請求項４に記載の発明は請求項２に記載の拡大読書器において、Ｘ軸とＸテーブル用ブレーキパッドとの間隔をＸ軸とＸテーブル用ブレーキシャフトとの間隔より短く設定したことを特徴とする。
【００１８】
請求項５に記載の発明は請求項２に記載の拡大読書器において、前記Ｙテーブルの正面に撮像用操作ボタンを配置した操作パネルを設けたことを特徴とする。
【発明の効果】
【００１９】
請求項１に記載の発明によれば、Ｙテーブル用ブレーキレバーを設けることによりＹテーブル用ブレーキ摘みをＹテーブルの正面側の一方の角隅部に配置したので、Ｙテーブル用ブレーキ摘みがＹテーブルの背面側角隅部にある場合に比べ制動操作が容易になる。
【００２０】
また、Ｙテーブル用ブレーキパッドとＹテーブル用ブレーキシャフトとの間にＹテーブル用ブレーキレバーを介在させたので、軽く力を加えただけではＹテーブルは動かないが、ある程度の力を加えれば制動力に抗してＹテーブルが微動する半制動状態に設定することが容易になる。
【００２１】
請求項２に記載の拡大読書器によれば、、Ｘテーブル用ブレーキ摘みをＸテーブルの正面側の一方の角隅部に配置したので、Ｘテーブル用ブレーキ摘みとＹテーブル用ブレーキ摘みを近接配置でき、より一層制動操作が容易になる。
【００２２】
また、Ｘテーブル用ブレーキパッドとＸテーブル用ブレーキシャフトとの間にＸブレーキ用レバーを介在させたので、軽く力を加えただけではＸテーブルは動かないが、ある程度の力を加えれば制動力に抗してＸテーブルが微動する半制動状態に設定することが容易になる。
【００２３】
請求項３に記載の発明によれば、Ｙ軸とＹテーブル用ブレーキパッドとの間隔をＹ軸とＹテーブル用ブレーキシャフトとの間隔より短く設定したので、Ｙテーブルをより半制動状態に設定し易くなる。
【００２４】
請求項４に記載の発明によれば、Ｘ軸とＸテーブル用ブレーキパッドとの間隔をＸ軸とＸテーブル用ブレーキシャフトとの間隔より短く設定したので、Ｘテーブルをより半制動状態に設定し易くなる。
【００２５】
請求項５に記載の発明によれば、Ｙテーブルの正面に操作パネルを配置したので、撮像操作が容易になる。
【図面の簡単な説明】
【００２６】
【図１】本発明の一実施例に係る拡大読書器を示す斜視図である。
【図２】同拡大読書のＹテーブルをＹ方向へ移動し、ＸテーブルをＸ方向へ移動した状態を示す斜視図である。
【図３】図１の３−３線から切断した断面図である。
【図４】図３の４−４線から切断した端面図である。
【図５】図１の５−５線から切断した断面図である。
【図６】ＹテーブルとＸテーブルの一部破断した平面図である。
【実施例】
【００２７】
以下に本発明を図面に基づき説明するに、図１及び図２には本発明の一実施例に係る拡大読書器１０が示されている。当該拡大読書器１０は、ベースフレーム２０、Ｙテーブル３０、Ｘテーブル５０、支柱フレーム６０、アッパーフレーム６１及び液晶モニターディスプレイ７０を備えている。
【００２８】
ベースフレーム２０は左右一対のガイドフレーム２１，２２を備えている。これら２本のガイドフレーム２１，２２は互いに平行となるように設けられ、Ｙ方向（前後方向）に延びている。各ガイドフレーム２１，２２の外側面には第１Ｙレール２３，２４がビス２５で固定され、Ｙ方向に延びている。詳しくは後述するが、Ｙテーブル３０は両第１Ｙレール２３，２４を介してＹ方向へ移動可能にベースフレーム２０に載置されている。Ｙテーブル３０の正面には操作パネル３１が一体に設けられている。この操作パネル３１には後述するビデオカメラユニットをコントロールするためのズームボタン３２やコントラスト調整ボタン３３、照明点灯ボタン３４等の各種の撮像制御ボタンが配列されている。
Ｙテーブル３０の正面側の右角隅部側面にはＹテーブル３０のＹ方向の移動を制動して所望位置に停止させるとき回転操作するＹテーブル用ブレーキ摘み１００が設けられている。Ｙテーブル３０の正面側の左角隅部側面にＹテーブル３０をＹ方向へ移動操作するときに掴むＹテーブル用取手１０１が設けられている。
【００２９】
Ｙテーブル３０の表面には互いに平行となるように配置した前後一対の第１Ｘレール３７，３８がビスで固定され、Ｙ方向と直交するＸ方向（左右方向）へ延びている。詳しくは後述するが、２本の第１Ｘレール３７，３８に書籍や新聞等の資料を載置するＸテーブル５０がＸ方向へ移動可能に載置されている。各第１Ｘレール３７，３８の右端にはエッジカバー３７ａ，３８ａが取り付けられている。Ｘテーブル５０の正面の右角隅部にはＸテーブル５０のＸ方向の移動を制動して所望位置に停止させるとき回転操作するＸテーブル用ブレーキ摘み１０２が設けられている。また、Ｘテーブル５０の正面側の右角隅部側面に、Ｘテーブル５０をＸ方向へ移動操作するときに掴むＸテーブル用取手１０３が設けられている。
【００３０】
ベースフレーム２０の背面側端部に支柱フレーム６０が立設され、支柱フレーム６０の上端部にアッパーフレーム６１の後端部が固定されている。アッパーフレーム６１は中空構造を有し、内部にビデオカメラユニット６２と、ビデオカメラユニット６１の撮像方向をＸテーブル５０に載置した資料に向けるためのミラー６３が配設されている。
【００３１】
アッパーフレーム６１の前部上面には軸受筒部６４が固設され、該軸受筒部６４に軸部６５が回転可能に支持されている。この軸部６５の左右両端にはアーム６６が固定され、アーム６６の先端部に液晶ディスプレイ７０が取り付けられている。液晶ディスプレイ７０は軸部６５の回転に伴い、図１及び図２に示すように正面を向いた使用位置と、アッパーフレーム６１とＸテーブル５０の間に格納される格納位置（図示略）との間で回動可能に設けられている。
【００３２】
図３に示すように、ベースフレーム２０に固設した左右のガイドフレーム２１，２２は断面形状が横長長方形の中空構造を有し、各ガイドフレーム２１，２２の外側面に第１Ｙレール２３，２４が固定されている。各第１Ｙレール２３，２４はコ字形断面を有する。一方、Ｙテーブル３０の裏面には断面Ｌ字形の２本のプレート３９，４０が組み付けられ、各プレート３９，４０に第２Ｙレール４１，４２が固定されている。各第２Ｙレール４１４２はその上下両端部がベアリング（図示略）を介して第１Ｙレール２３，２４に摺動可能に連結されている。
【００３３】
図４に示すように、右側の第２Ｙレール４１を固定した右側プレート３９はＹテーブルの裏面に３０にビス４３で固定されている。一方、Ｙテーブル３０の裏面にはＹ軸ピン４４が垂設されている。また、左側の第２Ｙレール４２を固定した左側プレート４０にはＹ方向に沿って前後２箇所にＹ軸ピン用長穴４６とビス用長穴４７が形成され、各長穴４６，４７はＸ方向に延びている。Ｙ軸ピン４４はＹ軸ピン用長穴４６にＸ方向だけに変位可能に緊密に嵌合している。図３に示すように、Ｙテーブル３０の裏面には左側の第２Ｙレール４２を固定したプレート４０がＹテーブル３０の裏面から脱落するのを防止するための抜け止めプレート４８が取り付けられている。このプレート４８はビス４５，４９でＹテーブル３０に固定されている。一方のビス４５はビス用長穴４７に挿通されている。このビス４５は後述するように左側の第２Ｙレール４２を固定したプレート４０がＹテーブル３０表面と平行な面内で回動できるように、ビス用長穴４７にクリアランスをもって挿通されている。
【００３４】
以上説明したように、左側の第２Ｙレール４２を固定した左側プレート４０をピン４４，ビス４５と長穴４６，４７を介してＹテーブル３０の裏面に組み付けたので、左側の第２Ｙレール４２はＹテーブル３０にＸ方向へ変位可能に、かつＹ軸ピン４４を支点にしてＹテーブル表面と平行な面内で左右方向に回動可能に組み付けられている。
【００３５】
図５に示すように、各第１Ｘレール３７，３８は溝形断面を有する。一方、Ｘテーブル５０の裏面にはプレート５１，５２が２本組み付けられ、各プレート５１，５２に第２Ｘレール５３，５４が固定されている。各第２Ｘレール５３，５４はその左右両端部がベアリング（図示略）を介して第１Ｘレール３７，３８に摺動可能に連結されている。
【００３６】
図２に示すように、前側の第２Ｘレール５３を固定したプレート５１はＸテーブル５０にビス５５で固定されている。一方、Ｘテーブル５０の裏面にはＸ軸ピン５６が立設されている。また、後側の第２Ｘレール５４を固定したプレート５２にはＸ方向に沿って左右２箇所にＸ軸ピン用長穴５８とビス用長穴５９が形成され、各長穴５８，５９はＹ方向に延びている。Ｘ軸ピン５６はＸ軸ピン用長穴５８にＹ方向だけに変位可能に緊密に嵌合している。図５に示すように、Ｘテーブル５０の裏面には後側の第２Ｘレール５４を固定したプレート５２がＸテーブル５０から脱落するのを防止するための抜け止めプレート６７が取り付けられている。このプレート６７はビス５７，６８でＸテーブル５０に固定されている。一方のビス５７はビス用長穴５９に挿通されている。このビス５７は後述するように後側の第２Ｘレール５４を固定したプレート５２がＸテーブル５０表面と平行な面内で回動できるように、ビス用長穴５９にクリアランスをもって挿通されている。
【００３７】
以上説明したように、後側の第２Ｘレール５４を固定したプレート５２をピン５６，ビス５７と長穴５８，５９を介してＸテーブル５０の裏面に組み付けたので、後側の第２Ｘレール５４はＸテーブル５０にＹ方向へ変位可能に、かつＸ軸ピン５６を支点にしてＸテーブル５０表面と平行な面内で前後方向へ回動可能に組み付けられている。
【００３８】
図６に示すように、Ｙテーブル３０には、Ｙテーブル用ブレーキシャフト８０、Ｙテーブル用ブレーキレバー８１及びＹテーブル用ブレーキパッド８２が内蔵されている。
Ｙテーブル用ブレーキレバー８１はＹテーブルの右側面内部に固定したプレート８３（図３参照）に立設したブレーキ用Ｙ軸８４を支点にしてＹテーブルと平行な面内で左右方向に回動可能にＹテーブル３０に組み付けられている。
【００３９】
Ｙテーブル用ブレーキレバー８１の後端部にＹテーブル用ブレーキパッド８２がビスで固定されている。一方、ベースフレーム２０には逆断面Ｌ字形のプレート８５（図３参照）が固定され、右側の第１Ｙレール２３と平行に延びている。そして、Ｙテーブル用ブレーキパッド８２がプレート８５に対向するように配置されている。
【００４０】
Ｙテーブル用ブレーキシャフト８０はスクリューシャフトから成り、ブラケット８６でＹテーブル３０に回転可能かつ進退不能に組み付けられている。Ｙテーブル用ブレーキシャフト８０の外端部にＹテーブル用ブレーキ摘み１００が取り付けられている。一方、Ｙテーブル用ブレーキシャフト８０の内端部に、ネジ溝を有するＹテーブル用ブレーキブロック８８が進退可能にネジ付けられている。そして、Ｙテーブル用ブレーキブロック８８がＹテーブル用ブレーキレバー８１の反Ｙテーブル用ブレーキパッド８２側の端部に連結されている。また、Ｙ軸８４とＹテーブル用ブレーキパッド８２との間隔はＹ軸８４とＹテーブル用ブレーキシャフト８０との間隔より短く設定されている。
【００４１】
Ｘテーブル５０には、Ｘテーブル用ブレーキシャフト９０、Ｘテーブル用ブレーキレバー９１及びＸテーブル用ブレーキパッド９２が内蔵されている。Ｘテーブル用ブレーキレバー９１はＸテーブル５０の前側の第２Ｘレール５３に近接して配置され、同レール５３と平行に延びている。Ｘテーブル用ブレーキレバー９１はこの第２Ｘレール５３を固定したプレート５１に立設したブレーキ用Ｘ軸９３を支点にしてＸテーブルと平行な面内で前後方向に回動可能にＸテーブル５０に組み付けられている。
【００４２】
Ｘテーブル用ブレーキレバー９１の左端部にＸテーブル用ブレーキパッド９２がビスで固定されている。第２Ｘレール５３を固定したプレート５１には切欠５１ａが形成され、Ｘテーブル用ブレーキパッド９２がこの切欠５１ａを通して第１Ｘレール３７に対向するように配置されている。
【００４３】
Ｘテーブル用ブレーキシャフト９０はスクリューシャフトから成り、ブラケット９４でＸテーブル５０に回転可能かつ進退不能に組み付けられている。Ｘテーブル用ブレーキシャフト９０の外端部にＸテーブル用ブレーキ摘み１０２が取り付けられている。一方、Ｘテーブル用ブレーキシャフト９０の内端部に、ネジ溝を有するＸテーブル用ブレーキブロック９６が進退可能にネジ付けられている。そして、Ｘテーブル用ブレーキブロック９６がＸテーブル用ブレーキレバー９１の反Ｘテーブル用ブレーキパッド９２側の端部に連結されている。また、Ｘ軸９３とＸテーブル用ブレーキパッド９２との間隔はＸ軸９３とＸテーブル用ブレーキシャフト９０との間隔より短く設定されている。
【００４４】
本実施例に係る拡大読書器１０の構造は以上の通りであって、次にその使用方法を説明する。Ｘテーブル５０に書籍や新聞等の資料を載置し、資料のサイズや縦長若しくは横長等の形状に合わせて、ビデオカメラユニット６２の撮像レンズの光軸が拡大したい部分の中心に一致するように、Ｙテーブル３０とＸテーブル５０をそれぞれ取手１０１，１０３を掴んでＹ方向及びＸ方向へ移動させ、ブレーキ摘み１００，１０２を回転操作して所望位置にＹテーブル３０とＸテーブル５０を制動停止させる。ブレーキ摘み１００，１０２を回転操作すると、ブレーキブロック８８，９６がそれぞれブレーキシャフト８０，９０に沿って進退し、それに伴いブレーキレバー８１，９１が図６に二点鎖線で示す位置から実線で示す位置へと回動し、ブレーキパッド８２がプレート８５に圧接してＹテーブルが制動される。また、ブレーキパッド９２が第１Ｘレールに圧接してＸテーブルが制動される。そして、ビデオカメラユニット６２で資料を撮像し、液晶ディスプレイ７０に拡大表示する。
【００４５】
本実施例に係る拡大読書器によれば、Ｙテーブル用ブレーキレバー８１を設けることによりＹテーブル用ブレーキ摘み１００をＹテーブル３０の正面側の一方の角隅部に配置したので、Ｙテーブル用ブレーキ摘み１００がＹテーブル３０の背面側角隅部にある場合に比べ制動操作が容易になる。
また、Ｙテーブル用ブレーキパッド８２とＹテーブル用ブレーキシャフト８０との間にＹテーブル用ブレーキレバー８１を介在させたので、軽く力を加えただけではＹテーブル３０は動かないが、ある程度の力を加えれば制動力に抗してＹテーブル３０が微動する半制動状態に設定することが容易になる。
【００４６】
また、Ｘテーブル用ブレーキ摘み１０２をＸテーブル５０の正面側の一方の角隅部に配置したので、Ｘテーブル用ブレーキ摘み１０２とＹテーブル用ブレーキ摘み１００が近接配置され、より一層制動操作が容易になる。
さらに、Ｘテーブル用ブレーキパッド９２とＸテーブル用ブレーキシャフトと９０の間にＸブレーキ用レバー９１を介在させたので、軽く力を加えただけではＸテーブル５０は動かないが、ある程度の力を加えれば制動力に抗してＸテーブル５０が微動する半制動状態に設定することが容易になる。
【００４７】
また、Ｙテーブル３０の正面に操作パネル３１を配置したので、撮像操作が容易になる。
【符号の説明】
【００４８】
１０…拡大読書器
２０…ベースフレーム
２３，２４…第１Ｙレール
３０…Ｙテーブル
３７，３８…第１Ｘレール
４１，４２…第２Ｙレール
５０…Ｘテーブル
５３，５４…第２Ｘレール
６２…ビデオカメラユニット
７０…液晶ディスプレイ
８０…Ｙテーブル用ブレーキシャフト
８１…Ｙテーブル用ブレーキレバー
８２…Ｙテーブル用ブレーキパッド
８４…ブレーキ用Ｙ軸
９０…Ｘテーブル用ブレーキシャフト
９１…Ｘテーブル用ブレーキレバー
９２…Ｘテーブル用ブレーキパッド
９３…ブレーキ用Ｘ軸
１００…Ｙテーブル用ブレーキ摘み
１０２…Ｘテーブル用ブレーキ摘み
【図１】
2012105111.tif 000003
【図２】
2012105111.tif 000004
【図３】
2012105111.tif 000005
【図４】
2012105111.tif 000006
【図５】
2012105111.tif 000007
【図６】
2012105111.tif 000008